(57)【特許請求の範囲】
【請求項１】
抄繊糸が編繊されてなる床材用上張材であって、
前記抄繊糸が、少なくとも長辺端に、部分的に他の部分と色が異なる部分又は濃度が異なる部分が設けられている紙テープを撚って形成されていることを特徴とする床材用上張材。
【請求項２】
少なくとも長辺端に、部分的に他の部分と色が異なる部分又は濃度が異なる部分が設けられている紙テープを撚って抄繊糸を作る工程と、該抄繊糸を編繊する工程を有することを特徴とする床材用上張材の製造方法。
【発明の詳細な説明】
【０００１】
【産業上の利用分野】
本発明は、細く裁断された紙に撚りをかけて抄織糸を形成し、この抄織糸を機織することにより作った床材用上張材の改良に関するものである。
【０００２】
【従来の技術】
住宅用床材としては、フローリング、カーペット、クッションフロア、畳などがあるが、日本の生活習慣に合い、保温性、弾力性、感触性に優れた畳が現在見直されている。畳表の材料としてはイ草が代表的であるが、イ草にも各種の欠点が存在する。即ち、
▲１▼  天然繊維のために繊維径や色が限定され、デザイン・バリエーションに乏しい。
▲２▼  天然繊維のため、ダニやカビが発生しやすい。
▲３▼  イ草の内部には白いスポンジ状の繊維の芯があり、表面が摩耗して白いスポンジ状の繊維が表れると目立って見苦しくなる。
▲４▼  天然繊維の生産量は天候に左右され易く、又、天候による品質のばらつきも大きい。
▲５▼  イ草の長さには一定の限度があるので、織り幅が制限され、幅の大きいものを織る事が出来ない。
【０００３】
このような天然繊維であるイ草の欠点に対してポリプロピレン等の合成樹脂を繊維とした畳表も提案されているが、これも以下のような欠点がある。
▲１▼  吸湿性が乏しいため、べとつき易く感触性に劣る。
▲２▼  素材が人工的であるため風合いや色合など自然感に劣る。
【０００４】
そこで、前記近年では問題点を解決する床材用上張材の素材として紙が着目されている。紙を用いた製造法としては抄造した紙を２０〜４０ｍｍ程度の幅に裁断して、これに筒状に撚りをかけて抄繊糸を形成し、この抄繊糸を機織することによって畳表とする方法が提案されている（特開平７−３５７２号等）。
【０００５】
【発明が解決しようとする課題】
天然繊維であるイ草には色の差異があり、これを素材とした畳表は全体として一見均一な色彩に見えるが、細かく見るとイ草の色の違いにより色ムラがある。しかし抄繊糸を機織して作成された畳表は各部の色調が同一であり、表面が均一すぎてイ草を用いた従来からの畳表とは少々イメージが異なったものとなる恐れがある。
【０００６】
また、表面が均一であるということは、醤油，油，コーヒー等をこぼしてシミができたような場合、そこだけ他の部分との色調が異なることになり、汚れが目立つことになる。（その点において従来のイ草の畳表の場合は、それ自体に色ムラがあるので汚れた部分が目立ちにくい。そして、畳自体も色焼けにより全体に茶色っぽく変色するため、汚れはあまり目立たなくなる。）
そこで、紙を撚ってできた抄繊糸を用いた畳表において、汚れが目立たないようにすることが課題とされていた。
尚、この課題の解決方法の一つとして、イ草と同様の色ムラを作るために濃度や色調の異なった複数種類の抄繊糸を用い、これら複数種類の抄繊糸をブレンドして編織するという方法もある。しかしこの方法では、色管理が難しく、均一なブレンドも容易ではなく製品化が困難であるため、より簡単に高品質の製品を得る手段が求められている。
【０００７】
【課題を解決するための手段】
本発明の床材用上張材は、抄繊糸が編繊されてなる床材用上張材であって、抄繊糸が、少なくとも長辺端に、部分的に他の部分(1)と色が異なる部分又は濃度が異なる部分(2)が設けられている紙テープを撚って形成されていることを特徴とする。
【０００８】
【作用】
紙に異色部又は濃度の異なる部分を設けているので、これを撚ってできた抄繊糸には部分的に色の異なる部分（２）ができ、さらにこの抄繊糸を編織して製作した畳表には細かい色ムラができ、イ草の畳表とイメージが近くなる。また、少し汚れてもその部分だけが特に目立つということが少なくなる。
【０００９】
【実施例】
以下、本発明を好適な実施例を用いて説明する。
［実施例１］
基本色（例えば薄緑色）の紙テープの一方の長辺に効果色（例えば濃緑色や枯れ草色等）の塗料を点状に塗布して着色した。この状態の紙テープを図１（ａ）に示す。効果色は１色でもよいし複数色でもよい。また、着色方法としてはハケやローラー状のもので塗布する他に、吹き付けによる塗布や上方からの塗料の滴下による塗布等でもよい。
【００１０】
尚、紙テープは幅のある紙を適当な幅に裁断して作ることが多いが、効果色は裁断後の紙テープに塗布してもよいし、裁断前に所定の位置（裁断後にテープの長辺となる箇所）に塗布しておいて、その後裁断してもよい。また、紙テープを撚って抄繊糸を作る装置に紙テープを装填し、装置で紙テープが撚られる前の段階の工程で着色してもよい。
【００１１】
そして効果色が塗布されている側が外側（紙テープを撚って抄繊糸を作った際に抄繊糸の表面に露出する側）になるように撚って抄繊糸を作る。この状態を図１（ｂ）に示す。
このようにして作った抄繊糸は、効果色で着色された箇所（２）（以下「効果色部」という）と基本色のまま残された部分（１）（以下、「基本色部」という）が交互に表れる。効果色を塗布する間隔がランダムであれば抄繊糸の効果色部（２）と基本色部（１）の間隔もランダムとなり更に自然な感じがする。尚、一辺を効果色で完全に着色した場合は、撚り具合により抄繊糸全体が効果色になってしまうおそれがあるので、本実施例のように点状または破線状，鎖線状に塗布するのが望ましい。
【００１２】
このようにして得た抄繊糸を編繊して畳表を製作すると、イ草を用いた畳表のような風合いの畳表とすることができ、汚れも目立ちにくくなる。また、異なる色に着色された複数の糸を用いるのではなく、１本の抄繊糸で色ムラを作ることができるので、連続織機で編繊するのも容易で生産効率を向上させることが可能である。
【００１３】
［実施例２］
実施例１では紙テープの長辺に効果色を点状に塗布したが、本実施例では間隔をおいて長手方向に対して斜めに帯状に効果色を塗布した。この状態を図２（ａ）に示す。図中（３）が基本色部，（４）が効果色部である。
また、この紙テープを撚って作った抄繊糸を図２（ｂ）に示す。帯状に塗布する効果色の帯幅，間隔，傾きを変えると抄繊糸の効果色部（４）と基本色部（３）との間隔をランダムにすることができる。
【００１４】
本実施例の場合は紙テープの裁断幅を考慮することなく効果色を塗布することができる（どのような幅に裁断してもテープ長辺端に効果色が位置するため、効果色で着色されている位置を考慮して作業する必要がない）ので製造が更に容易となる。その他は実施例１と同様である。
【００１５】
［実施例３］
本実施例では裁断前の紙の長手方向に対して左右に蛇行するように（波状に）効果色を塗布した。この場合も実施例２と同様に塗布後に裁断して効果色付きの紙テープとするのが容易になる。その他は実施例１と同様である。
尚、蛇行の幅は図３（ａ）に示すように紙の幅と同じか、図３（ｂ）に示すように紙の幅より大きく振るようにするのが望ましい。蛇行の幅が小さく紙の端部にまで達しない場合、この紙を裁断すると端部付近が着色されていない紙テープができ、このような紙テープを用いると、撚った際に効果色部（６）が抄繊糸の内側に入り込んでしまい（基本色部（５）のみが抄繊糸の表面に露出し）色むらを作ることができなくなる恐れがある。したがって、裁断後にすべての紙テープの端部に効果色が塗布されるように上記のように塗布することが望ましい。図３（ｃ）に上記の紙を裁断して得られる紙テープを示す。
また、図３（ａ）に示したような振幅の大きい１本の蛇行線とせずに、振幅の小さい複数本の蛇行線となるように塗布してもよい。この場合も裁断後の紙テープの端部に効果色が塗布されるように紙テープの幅と同等又はそれ以上の幅の振幅で塗布することが望ましい。
【００１６】
効果色の付し方は上記各実施例に限定されるものではなく、撚って抄繊糸としたときに抄繊糸表面に部分的に効果色部が表れるように着色するものであればよい。また、基本色，効果色としてイ草の畳表の風合いに近づけるような色を用いることができるのは当然であるが、原色，蛍光色，パステルカラー等の色を用いて、通常の畳とは異なったカラフルなイメージの床材とすることも可能である。本発明の上張材は畳にだけでなく、ゴザ，壁装材等としても利用できる。
【００１７】
【発明の効果】
以上述べたように、本発明により紙を撚ってできた抄繊糸を編繊した床材用上張材において、表面の色ムラを容易に作り出すことにより、風合いをイ草を用いた畳表の風合いに近くすると共に、汚れが目立たないようにすることができた。
【図面の簡単な説明】
【図１】実施例１に用いる紙テープ（ａ）と抄繊糸（ｂ）を示した図。
【図２】実施例２に用いる紙テープ（ａ）と抄繊糸（ｂ）を示した図。
【図３】実施例３に用いる紙（ａ），（ｂ）とそれを裁断した紙テープ（ｃ）を示した図。
【符号の説明】
（１）  基本色部
（２）  効果色部
【図１】
0003599833.tif 000002
【図２】
0003599833.tif 000003
【図３】
0003599833.tif 000004